(57)【要約】【課題】ユーザがある一のチャンネルのスポーツ番組を録画し、そのスポーツ番組が終了した後に、番組の最初から視聴したいと望んでいた場合、ユーザがザッピング視聴を行って意図せず録画中のチャンネルを選局してしまうと、録画しているスポーツ番組の途中経過や結果が表示されてしまい、録画したスポーツ番組を後から見る興味が半減してしまうという課題がある。【解決手段】上記課題を解決するために、本発明では、記録中のチャンネルを視聴できないように、記録中チャンネルＩＤにて識別されるチャンネルの視聴制限を行う記録装置、視聴装置制御システムを提供するものである。【選択図】          図１
2007288363.tif 000002
【特許請求の範囲】
【請求項１】
記録部と、
記録部が記録するチャンネルを選局可能なチューナと、
記録部が記録中の記録中チャンネルＩＤを取得する記録中チャンネルＩＤ取得部と、
記録中チャンネルＩＤで識別されるチャンネルの視聴制限をするための制御信号を出力する制御信号出力部と、
を有する記録装置。
【請求項２】
制御信号出力部は、視聴制限をするための制御信号として視聴者に記録中チャンネルＩＤで識別されるチャンネルの視聴出力を許可するかを問い合わせるためのダイアログ出力信号を出力するダイアログ出力信号手段を有する請求項１に記載の記録装置。
【請求項３】
制御信号出力部は、視聴制限をするための制御信号として、視聴者から記録中チャンネルＩＤで識別されるチャンネル選局命令を他のチューナが受けた場合にそのチャンネルをスキップして他のチャンネルを選局するスキップ命令を出力するスキップ命令出力手段を有する請求項１に記載の記録装置。
【請求項４】
第一視聴出力部と、
前記第一視聴出力部にて視聴出力するチャンネルを選局可能な第二チューナと、
前記制御信号に基づいて前記第一視聴出力部における視聴制限を実行する視聴制限実行部と、
を有する請求項１から３のいずれか一に記載の記録装置。
【請求項５】
請求項１から４のいずれか一に記載の記録装置と、
前記記録装置と外部接続された視聴装置と、
からなり、
前記視聴装置は、
第二視聴出力部と、
前記第二視聴出力部にて視聴出力するチャンネルを選局可能な第三チューナと、
前記記録装置の制御信号出力部にて出力された制御信号を受信する制御信号受信部と、
前記制御信号に基づいて第二視聴出力部において視聴制限を実行する視聴制限実行部と、
を有する視聴装置制御システム。
【請求項６】
チューナにて選局されたチャンネルを記録する記録ステップと、
前記記録ステップにて記録中のチャンネルの記録中チャンネルＩＤを取得するＩＤ取得ステップと、
前記記録中チャンネルＩＤで識別されるチャンネルの視聴制限をするための制御信号を出力する制御信号出力ステップと、
前記制御信号に基づいて視聴装置の視聴制限を実行する視聴制限実行ステップと、
からなる視聴制御方法。
【発明の詳細な説明】
【技術分野】
【０００１】
本発明は、視聴制御を行うことが可能な記録装置の技術に関する。
【背景技術】
【０００２】
従来より、録画機能と視聴機能とを併せ持った録画再生装置がある。このような録画再生装置では、少なくとも２つ以上のチューナを有することで、一のチャンネルを録画中に他のチャンネルを視聴することが可能となっている。また、同じように、テレビ等のチューナを有する視聴装置に、チューナを有する録画装置を外部接続することで、一のチャンネルを録画中に他のチャンネルを視聴することが可能である。このように、少なくとも録画用あるいは録音用のチューナと視聴用のチューナを一の装置に備えているか、それぞれのチューナを備えた装置を外部接続することで、一のチャンネルの番組を視聴中に他のチャンネルの番組を録画又は録音することができる。
【０００３】
特許文献１では、上記の機能を利用して一のチャンネルの番組を視聴中に、同一ジャンルの裏番組を録画する機能を有する裏番組録画システムを提供している。
【特許文献１】特開２００５−３９５５９号公報
【発明の開示】
【発明が解決しようとする課題】
【０００４】
しかしながら、ユーザがある一のチャンネルのスポーツ番組を録画し、そのスポーツ番組が終了した後に、番組の最初から視聴したいと望んでいた場合、ユーザがザッピング視聴を行って意図せず録画中のチャンネルを選局してしまうと、録画しているスポーツ番組の途中経過や結果が表示されてしまい、録画したスポーツ番組を後から見る興味が半減してしまうという問題を解決した技術は無かった。
【０００５】
本発明は、以上の問題点に鑑みてなされたものであり、記録中のチャンネルを視聴できないようにする信号を出力する記録装置及び視聴装置制御システムを提供するものである。
【課題を解決するための手段】
【０００６】
上記課題を解決するために、本発明では、記録部と、記録部が記録するチャンネルを選局可能なチューナと、記録部が記録中の記録中チャンネルＩＤを取得する記録中チャンネルＩＤ取得部と、記録中チャンネルＩＤで識別されるチャンネルの視聴制限をするための制御信号を出力する制御信号出力部と、を有する記録装置を提供する。また、前記制御信号出力部は、視聴制限をするための制御信号として視聴者に記録中チャンネルＩＤで識別されるチャンネルの視聴出力を許可するかを問い合わせるためのダイアログ出力信号を出力するダイアログ出力信号手段を備えても良いし、前記制御信号出力部は、視聴制限をするための制御信号として、視聴者から記録中チャンネルＩＤで識別されるチャンネル選局命令を他のチューナが受けた場合にそのチャンネルをスキップして他のチャンネルを選局するスキップ命令を出力するスキップ命令出力手段を備えても良い。
【０００７】
また、前記記録装置は、さらに、第一視聴出力部を有し、前記第一視聴出力部にて視聴出力するチャンネルを選局する第二チューナと、前記制御信号出力部にて出力された制御信号を受信する制御信号受信部と、前記制御信号に基づいて前記第一視聴出力部における視聴制限を実行する視聴制限実行部と、を備えても良い。
【０００８】
さらに、前記記録装置と他の視聴装置とを外部接続し、該視聴装置に、第二視聴出力部と、前記第二視聴出力部にて視聴出力するチャンネルを選局する第三チューナと、前記記録装置の制御信号出力部にて出力された制御信号を受信する制御信号受信部と、前記制御信号に基づいて第二視聴出力部において視聴制限を実行する視聴制限実行部と、を有する視聴装置制御システムを提案する。
【０００９】
また、チューナにて選局されたチャンネルを記録する記録ステップと、前記記録ステップにて記録中のチャンネルの記録中チャンネルＩＤを取得するＩＤ取得ステップと、前記記録中チャンネルＩＤで識別されるチャンネルの視聴制限をするための制御信号を出力する制御信号出力ステップと、前記制御信号に基づいて視聴装置の視聴制限を実行する視聴制限実行ステップと、からなる視聴制御方法を提案する。
【発明の効果】
【００１０】
以上のような構成をとる本発明の記録装置又は視聴装置制御システムでは、記録中の番組等をユーザが誤って見てしまうことを防ぐことができる。このため、ユーザがザッピング視聴をした際にたまたま記録中のチャンネルの番組を視聴してしまい、興味が半減してしまうということを防ぐことができる。
【発明を実施するための最良の形態】
【００１１】
本発明を実施するための最良の形態について、図面を用いて詳細に説明する。なお、本発明はこれら実施の形態になんら限定されるものではなく、その要旨を逸脱しない範囲において種々なる態様で実施しうる。なお、以下の実施形態と請求項の関係は次のとおりである。実施形態１は主として請求項１、２、３、６などについて説明する。実施形態２は主として請求項４などについて説明する。実施形態３は主として請求項５などについて説明する。
【００１２】
≪実施形態１≫（実施形態１の概念）実施形態１について説明する。図１に本実施形態における記録装置の概念を示す。図１（Ａ）は、記録装置（０１０１）にて８チャンネルのサッカー番組を記録しながら、ユーザが視聴装置（０１０２）にて２チャンネルのニュース番組を視聴している場合を示している。図１（Ａ）の状態では、ユーザは８チャンネルの番組を視聴していないため、サッカーの試合経過を知ることはない。しかし、通常のスポーツ番組では、図１（Ａ）に示すように、途中経過を試合の映像とともに表示している。また、アナウンサーが途中経過を随時音声で伝達している。このため、僅かな時間でも８チャンネルを視聴すると、ユーザは試合の途中経過が分かってしまう。
【００１３】
本実施形態における記録装置（０１０１）は、記録中のチャンネルと同じチャンネルを視聴制限するための制御信号を出力する。このため、図１（Ｂ）に示すように、ユーザがザッピング視聴により視聴装置（０１０２）を操作してチャンネルを切り替え、たまたま記録装置（０１０１）にて記録中のチャンネル（図１「８チャンネル」）を選局してしまった場合であっても、視聴装置（０１０２）にてそのチャンネルの視聴をできないようにする。よって、ユーザは記録中の番組の途中経過等を知ること無くザッピング視聴を続けることができる。
【００１４】
（実施形態１の構成）図２に本実施形態にかかる記録装置の機能ブロック図の一例を示す。本実施形態にかかる「記録装置」（０２００）は、「記録部」（０２０１）と、「チューナ」（０２０２）と、「記録中チャンネルＩＤ取得部」（０２０３）と、「制御信号出力部」（０２０４）と、からなり、制御信号出力部は、「ダイアログ出力信号手段」（０２０５）、「スキップ命令出力手段」（０２０６）を有していても良い。
【００１５】
図３に、本実施形態における記録装置を実現するためのハードウェア構成を示す。図３に示す記録装置は、主としてＣＰＵ（０３０１）、ＲＡＭ等の揮発性メモリ（０３０２）、ＨＤＤ等の不揮発性メモリ（０３０３）、チューナ（０３０４）、入力デバイス（０３０５）、外部インターフェース（０３０６）、これらを繋ぐシステムバス（０３０７）などからなる。
【００１６】
（実施形態１の構成の説明）「記録装置」（０２００）とは、番組データを記録部（０２０１）に記録可能な装置をいう。番組データとは、地上デジタル放送、地上アナログ放送、ＢＳ／ＣＳ１１０度デジタル放送、ラジオ放送などにて放送される番組のデータである。これらの番組データは、記録装置（０２００）に外部接続されたアンテナ（０２０７）などにて受信し、チューナ（０２０２）へ送られる。
【００１７】
「記録部」（０２０１）は、チューナ（０２０２）にて選局したチャンネルの番組データを記録媒体に記録するように構成されている。記録部（０２０１）は、図３に示す不揮発性メモリ（０３０３）などから構成されており、チューナ（０２０２）にて選局されたチャンネルの番組が不揮発性メモリのアドレスＡに格納される。また、記録媒体は、ＨＤＤ等の磁気ディスクの他に、ＣＤ−Ｒ、ＣＤ−ＲＷ、ＤＶＤ±Ｒ、ＤＶＤ±ＲＷ、ＤＶＤ−ＲＡＭなどの光ディスクであっても良いし、ビデオテープやカセットテープなどの磁気テープであっても良い。
【００１８】
「チューナ」（０２０２）は、記録部（０２０１）が記録するチャンネルを選局可能となるように構成されている。前記記録部（０２０１）は該チューナ（０２０２）にて選局されたチャンネルを記録する。選局は、視聴者が入力デバイス（０３０５）にてチューナ（０３０４）を操作することで行われる。
【００１９】
「記録中チャンネルＩＤ取得部」（０２０３）は、記録部（０２０１）が記録中の記録中チャンネルＩＤを取得するように構成されている。記録中チャンネルＩＤ取得部は、図３におけるＣＰＵ（０３０１）、揮発性メモリ（０３０２）、不揮発性メモリ（０３０３）などから構成されている。「記録中チャンネルＩＤ」とは、チューナ（０２０２）にて選局している記録部（０２０１）にて記録中のチャンネルを識別する情報である。記録中チャンネルＩＤ取得部（０２０３）では、記録部（０２０１）にて記録が行われると、図３に示すＣＰＵ（０３０１）にて不揮発性メモリ（０３０３）のアドレスＰ１に格納されている記録中チャンネルＩＤ取得プログラムを読み出し、揮発性メモリ（０３０２）のワーク領域に展開して起動する。記録中チャンネルID取得プログラムでは、チューナ（０３０４）にて選局しているチャンネルを識別する情報を取得する。例えば、図１に示すように、記録装置のチューナにて８チャンネルが選局されている場合には、記録中チャンネルＩＤ取得部（０２０３）では８チャンネルを示す情報を取得する。そして、取得された記録中チャンネルＩＤは、揮発性メモリ（０３０２）のアドレスａ等に一時的に格納される。なお、取得された記録中チャンネルＩＤは、記録部（０２０１）にて記録が終了した場合には、消去することが望ましい。
【００２０】
なお、記録中チャンネルＩＤには、記録中のチャンネル番号を示す情報のみならず、記録中チャンネルの番組に関する他の情報を含めても良い。例えば、記録中チャンネルの番組がどのジャンルの番組であるかを示す情報や、その番組が再放送であるかを示す情報などである。番組のジャンルを示す情報が含まれている場合には、後述する制御信号にて視聴制御をする番組のジャンルをユーザが選択することとしても良い。例えば、スポーツ番組とドラマ番組は視聴制限を行うが、ニュース番組や娯楽番組は視聴制限を行わないなどと設定することが可能である。
【００２１】
「制御信号出力部」（０２０４）は、記録中チャンネルＩＤ取得部（０２０３）にて記録中チャンネルＩＤが取得されると、記録中チャンネルＩＤで識別されるチャンネルの視聴制限をするための制御信号を出力するように構成されている。制御信号出力部は、不揮発性メモリ（０３０３）、インターフェース（０３０５）などから構成される。記録中チャンネルＩＤ取得部（０２０３）にて記録中チャンネルＩＤが取得されると、制御信号出力部（０２０４）では、ＣＰＵ（０３０１）からの命令により、不揮発性メモリ（０３０３）のアドレスＢに格納された視聴制御ルールに従って、記録中チャンネルＩＤにて識別されるチャンネルの視聴制限をするための制御信号を作成する。そして、作成された制御信号は、インターフェースを介して他のチューナや他の視聴装置などに出力される。
【００２２】
視聴制限とは、視聴者の視聴を制限することである。例えば、図１に示すように、記録装置（０２００）に外部接続された他の視聴装置などにおいて記録中チャンネルＩＤにて識別されるチャンネルを選局した場合に、該チャンネルの映像や音声を出力する代わりに無信号状態を示す出力をすることで視聴制限をしても良いし、後述するように、該チャンネルをスキップして他のチャンネルを表示することで視聴制限をしても良い。また、入力デバイスとしてリモコンとリモコン受信機を用いる場合には、リモコンから送信される記録中チャンネルＩＤにて識別されるチャンネルの選局命令信号をリモコン受信機で受信できないようにしても良い。
【００２３】
制御信号とは、上記視聴制限を実行させるために視聴装置などを制御するための信号である。制御信号にて制御する対象は、記録装置自体に備え付けられた他のチューナであっても良いし、記録装置自体に備え付けられた映像や音声を出力する出力機器でも良いし、これらを制御する機器であっても良い。また、記録装置に他の視聴装置を外部接続する場合には、他の視聴装置のチューナや出力機器、これらを制御する機器を制御対象としても良い。
【００２４】
例えば、制御信号にて制御する対象が記録中のチャンネルを選局しているチューナ（０２０２）とは別の他のチューナである場合には、当該他のチューナにて記録中チャンネルＩＤにて識別されるチャンネルを選局しようとすると、他のチャンネルを強制的に選局（スキップ）するように制御することができる。また、制御対象が出力機器である場合には、記録中のチャンネルを選局しているチューナ（０２０２）とは別の他のチューナにて記録中チャンネルＩＤにて識別されるチャンネルを選局すると、そのチャンネルの映像や音声を出力機器が出力しないように制御することができる。
【００２５】
また、制御信号出力部は、ダイアログ出力信号手段（０２０５）又はスキップ命令出力手段（０２０６）を備えて制御を行っても良い。
【００２６】
「ダイアログ出力信号手段」（０２０５）は、視聴制限をするための制御信号として視聴者に記録中チャンネルＩＤで識別されるチャンネルの視聴出力を許可するかを問い合わせるためのダイアログ出力信号を出力する手段である。例えば、図１（Ａ）に示すように、記録装置（０１０１）にて記録しているチャンネルの番組と異なるチャンネルの番組を視聴装置（０１０２）において視聴している状態において、視聴装置で記録中チャンネルＩＤにて識別されるチャンネルを選局すると、図４（Ａ）に示すように、「８チャンネルは記録中です。視聴出力許可しますか？ＹＥＳ／ＮＯ」などと視聴制御の対象となっているチャンネルの視聴出力を許可するか否かを問い合わせるダイアログ出力をするための信号をダイアログ出力信号手段にて出力する。視聴者は、記録中のチャンネルの視聴出力を許可する場合には、「ＹＥＳ」を選択することで、視聴制御を解除して記録中チャンネルＩＤで識別されるチャンネルを視聴することができる。一方、視聴制御を継続する場合には、「ＮＯ」を選択することで、記録中のチャンネルを視聴せずに済む。なお、図４（Ａ）に示すのは、チャンネル切り替え前にダイアログを表示する様子を表している。図４（Ａ）では、リモコン等でダイアログの「ＹＥＳ」を選択すると、視聴制限を行わずに指定されたチャンネルを表示する。また、「ＮＯ」を選択すると、この選択がトリガーとなり視聴制限を開始する。また、図４（Ｂ）に示すのは、チャンネル切り替え後にダイアログを表示する様子を表している。図４（Ｂ）では、チャンネルの切り替えがトリガーとなり、視聴制限を開始する。そして、視聴制限が行われた状態でダイアログを表示する。図４（Ｂ）では、リモコン等でダイアログの「ＹＥＳ」を選択すると、視聴制限を解除して既に切り替えられているチャンネルを表示する。また、「ＮＯ」を選択すると、視聴制限がそのまま継続される。なお、これらの選択肢は、ユーザが操作を誤って視聴制限をしない選択をしてしまう可能性があるため、視聴制限を行う選択肢が優先的に選択される項目（図４中「ＮＯ」）にデフォルトのカーソルを合わせておくことが望ましい。
【００２７】
「スキップ命令出力手段」（０２０６）は、視聴制限をするための制御信号として、視聴者から記録中チャンネルＩＤで識別されるチャンネル選局命令を他のチューナが受けた場合にそのチャンネルをスキップして他のチャンネルを選局するスキップ命令を出力する。例えば、図１（Ａ）に示すように、記録装置にて記録しているチャンネルの番組と異なるチャンネルの番組を視聴している状態において、ザッピング視聴によりチャンネルを順次切り替えていった場合に、通常であればチャンネルが「４→６→８→１０→１２」と切り替えられるところを、記録中チャンネルＩＤにて識別される８チャンネルをスキップして、チャンネルが「４→６→１０→１２」などと切り替えられるようなスキップ命令をスキップ命令出力手段にて出力する。
【００２８】
（実施形態１の処理の流れ）本実施形態における処理の基本的な流れを図５の処理フローに示す。本実施形態における視聴制御方法では、まず、チューナにて選局されたチャンネルを記録する（Ｓ０５０１：記録ステップ）。次に、前記記録ステップにて記録中のチャンネルを識別する情報である記録中チャンネルＩＤを取得する（Ｓ０５０２：ＩＤ取得ステップ）。記録中チャンネルＩＤには、上述の通り、記録中のチャンネルがいずれのチャンネルであるかを示す情報のみならず、該チャンネルの番組がどのようなジャンルであるかを示す情報などを含めて取得しても良い。記録中チャンネルＩＤが取得された後に、視聴用のチューナや他の視聴装置において選局が行われると、選局されたチャンネルが記録中チャンネルＩＤにて識別されるチャンネルと一致するか否か判断される（Ｓ０５０３）。当該判断が、一致するとの判断結果である場合には、前記記録中チャンネルＩＤで識別されるチャンネルの視聴制限をするための制御信号を出力する（Ｓ０５０４：制御信号出力ステップ）。出力された制御信号は、記録を行った装置と同一の装置内の視聴用のチューナ等で受信しても良いし、外部接続された視聴装置にて受信しても良い。そして、受信された前記制御信号に基づいて視聴装置の視聴制限を実行する（Ｓ０５０５：視聴制限実行ステップ）。なお、Ｓ０５０３とＳ０５０４とは順番が逆であっても良い。すなわち、予め制御信号を出力しておき、記録中チャンネルＩＤにて識別されるチャンネルが選局されたら直ちに視聴制限を実行することとしても良い。
【００２９】
また、図６に、制御信号にダイアログ出力信号が含まれている場合の処理フローを示す。図６に示す処理フローでは、選局されたチャンネルが記録中チャンネルＩＤにて識別されるチャンネルと一致するか否かを判断するまでの処理（Ｓ０６０３）の流れは同じである。ダイアログ出力信号が制御信号に含まれている場合には、当該判断が一致するとの判断結果であると、図４に示すように、視聴許可をするか否かを視聴者に問うダイアログを表示する（Ｓ０６０４）。そして、視聴者が視聴許可をする場合（Ｓ０６０５：ＹＥＳ）には、記録中チャンネルＩＤにて識別されるチャンネルを表示する（Ｓ０６０８）。しかし、視聴者が視聴許可をしない場合（Ｓ０６０５：ＮＯ）には、記録中チャンネルＩＤで識別されるチャンネルの視聴制限をするための制御信号を出力する（Ｓ０６０６）。そして、受信された前記制御信号に基づいて視聴装置等にて視聴制限を実行する（Ｓ０６０７）。なお、上記処理フローは図４（Ａ）に示すように、ダイアログを表示した後に視聴制御を行う場合についての処理フローであるが、図４（Ｂ）に示すように、先に視聴制御を行った後にダイアログを表示しても良い。
【００３０】
また、図７に、制御信号にスキップ命令が含まれている場合の処理フローを示す。図７に示す処理フローでは、選局されたチャンネルが記録中チャンネルＩＤにて識別されるチャンネルと一致するか否かを判断するまでの処理（Ｓ０７０３）の流れは同じである。スキップ命令が制御信号に含まれている場合には、当該判断が一致するとの判断結果であると、記録中チャンネルＩＤにて識別されるチャンネルと別のチャンネルを選局するスキップ命令を視聴用のチューナへ出力する（Ｓ０７０４）。図７の処理フローでは、記録中チャンネルＩＤにて識別されるチャンネルの次のチャンネルを選局する命令をスキップ命令として出力しているが、この他のチャンネルを選局する命令を出力しても良い。そして、当該スキップ命令を受信した視聴用のチューナでは、記録中チャンネルＩＤにて識別されるチャンネルの次のチャンネルを選局する（Ｓ０７０５）。
【００３１】
（実施形態１の効果）以上のような構成をとる本実施形態の記録装置では、記録中の番組等をユーザが誤って見てしまうことを防ぐことができる。このため、ユーザがザッピング視聴をした際にたまたま記録中のチャンネルの番組を視聴してしまい、興味が半減してしまうということを防ぐことができる。
【００３２】
≪実施形態２≫（実施形態２の概念）実施形態２について説明する。図８に本実施形態における記録装置の概念を示す。本実施形態における記録装置（０８００）は、記録装置自体が複数のチューナと視聴出力機能を有し、一のチューナにて記録しているチャンネルを他のチューナにて視聴できないように構成されている。すなわち、図８に示す本実施形態の記録装置では、あるチャンネルの番組（図８中「２チャンネル」）を視聴中に他のチャンネルの裏番組（図８中「８チャンネル」）を記録することができるが、裏番組には視聴制限がかけられているため、視聴者はザッピング視聴を行った際にたまたま裏番組（図８中「８チャンネル」）を見てしまうということが無い。
【００３３】
（実施形態２の構成）図９に本実施形態にかかる記録装置の機能ブロック図の一例を示す。本実施形態における記録装置（０９００）は、実施形態１に記載の記録装置を基本とし、「記録部」（０９０１）、「チューナ」（０９０２）、「記録中チャンネルＩＤ取得部」（０９０３）、「制御信号出力部」（０９０４）を有し、さらに、「第一視聴出力部」（０９０５）と、「第二チューナ」（０９０６）と、「視聴制限実行部」（０９０７）と、を有することを特徴とする。なお、「記録部」（０９０１）、「チューナ」（０９０２），「記録中チャンネルＩＤ取得部」（０９０３）、「制御信号出力部」（０９０４）については既に説明済みであるため、説明を省略する。
【００３４】
図１０に、本実施形態における記録装置を実現するためのハードウェア構成を示す。図１０に示す記録装置は、主としてＣＰＵ（１００１）、ＲＡＭ等の揮発性メモリ（１００２）、ＨＤＤ等の不揮発性メモリ（１００３）、チューナ（１００４、１００５）、ディスプレイ（１００６）、スピーカ（１００７）、入力デバイス（１００８）、これらを繋ぐシステムバス（１００９）などからなる。
【００３５】
（実施形態２の構成の説明）本実施形態における記録装置（０９００）は、記録部（０９０１）、チューナ（０９０２）に加えて、第一視聴出力部（０９０５）と、第二チューナ（０９０５）を有しており、一の装置で２つのチャンネルの記録と視聴を同時に行うことができる。このため、本実施形態における記録装置は、例えば、録画機能（ビデオ）付きテレビや、録音機能付きラジオなどが該当する。
【００３６】
「第一視聴出力部」（０９０５）は、第二チューナ（０９０６）にて選局したチャンネルの番組を視聴者が視聴可能に出力するように構成されている。第一視聴出力部は、受信するチャンネルに応じて、音声を出力するスピーカや映像を出力するディスプレイが該当する。図１０に示すハードウェア構成では、第一視聴出力部（０９０５）は、ディスプレイ（１００６）及びスピーカ（１００７）から構成されているが、ラジオ放送を出力する場合には、第一視聴出力部はスピーカ（１００７）のみから構成されていても良い。
【００３７】
「視聴制限実行部」（０９０７）は、制御信号出力部（０９０４）にて出力された制御信号に基づいて第一視聴出力部（０９０５）における視聴制限を実行するように構成されている。視聴制限実行部（０９０７）は、図１０におけるＣＰＵ（１００１）、揮発性メモリ（１００２）、不揮発性メモリ（１００３）などから構成される。制御信号出力部にて制御信号が出力されると、ＣＰＵ（１００１）にて不揮発性メモリ（１００３）のアドレスＰ２に格納されている視聴制限実行プログラムを読み出し、揮発性メモリ（１００２）のワーク領域に展開して起動し、視聴制限を実行する。なお、視聴制限を実行する対象は、その視聴制限の内容に応じて異なる。
【００３８】
視聴制限として記録中チャンネルＩＤにて識別されるチャンネルの選局自体をできないようにする場合には、視聴制限を実行する対象は第二チューナ（０９０６）となる。例えば、視聴者が第二チューナ（０９０６）で記録中チャンネルＩＤにて識別されるチャンネルを選局しようとすると、制御信号出力部（０９０４）は記録中チャンネルＩＤにて識別されるチャンネルの次のチャンネルを選局するような制御信号を出力する。視聴制限実行部（０９０７）は、該制御信号に応じて記録中チャンネルＩＤにて識別されるチャンネルの次のチャンネルを選局するように第二チューナ（０９０６）を制御する。
【００３９】
また、視聴制限として記録中チャンネルＩＤにて識別されるチャンネルの出力をしないようにする場合には、視聴制限を実行する対象は第一視聴出力部（０９０５）となる。例えば、視聴者が第二チューナ（０９０６）で記録中チャンネルＩＤにて識別されるチャンネルを選局すると、制御信号出力部は記録中チャンネルＩＤにて識別されるチャンネルを出力する代わりに、視聴制限を行っている旨を視聴者に伝達するための音声や画像などを出力するための制御信号を出力する。視聴制限実行部（０９０７）では、該制御信号に応じて第一視聴出力部（０９０５）にて記録中チャンネルＩＤにて識別されるチャンネルを出力する代わりに、視聴制限を行っている旨を視聴者に伝達するための音声や画像を出力する。
【００４０】
このように、制御信号にて第二チューナ（０９０６）又は第一視聴出力部（０９０５）を制御することで、チューナ（０９０２）にて記録中のチャンネルをたまたま視聴してしまうことが無い視聴機能を有する記録装置を提供することができる。
【００４１】
（実施形態２の効果）以上のような構成をとる本実施形態の記録装置では、一の装置で２つのチューナを備えるため、一のチャンネルを視聴しながら他のチャンネルを記録できる視聴機能を有する記録装置において、記録中のチャンネルの番組をユーザが誤って見てしまうことを防ぐことができる。このため、ユーザがザッピング視聴をした際にたまたま記録中のチャンネルの番組を視聴してしまい、興味が半減してしまうということを防ぐことができる。
【００４２】
≪実施形態３≫（実施形態３の概念）実施形態３について説明する。本実施形態における視聴装置制御システムは、図１に示すように、実施形態１又は２に記載の記録装置と、該記録装置からの制御信号を受信して視聴制限を行うことが可能な視聴装置とを備えた視聴装置制御システムである。
【００４３】
（実施形態３の構成）図１１に本実施形態にかかる視聴制御システムの機能ブロック図の一例を示す。本実施形態における視聴制御システム（１１００）は、実施形態１又は２に記載の「記録装置」（１１０１）と、「視聴装置」（１１０２）とからなり、視聴装置は、「第二視聴出力部」（１１０３）と、「第三チューナ」（１１０４）と、「制御信号受信部」（１１０５）と、「視聴制限実行部」（１１０６）とからなる。なお、本実施形態における視聴装置は、実施形態２における視聴機能を別装置として設けたものであるため、そのハードウェア構成は省略する。
【００４４】
（実施形態３の構成の説明）本実施形態における記録装置（１１０１）は、実施形態１又は２に記載の記録装置からなり、外部接続をするためのインターフェースを備える。視聴装置（１１０２）は記録装置のインターフェースを介してケーブルなどで外部接続される。なお、ケーブルは、ＨＤＭＩケーブル等の映像信号や音声信号とともに制御信号を送受信可能なケーブルが望ましい。
【００４５】
「視聴装置」（１１０２）は、後述する第二視聴出力部（１１０３）、第三チューナ（１１０４）を備えており、視聴機能を有する。視聴装置（１１０２）は、記録装置（１１０１）のインターフェースを介してケーブルなどで外部接続される。視聴装置（１１０２）は、一般的なテレビ受信機や、ラジオ受信機などが該当する。
【００４６】
「第二視聴出力部」（１１０３）は、第三チューナ（１１０４）にて選局したチャンネルの番組を出力するように構成されている。第二視聴出力部（１１０３）の他の構成は実施形態１に記載の第一視聴出力部と同様である。
【００４７】
「第三チューナ」（１１０４）は、第二視聴出力部（１１０３）にて視聴出力するチャンネルを選局可能なように構成されている。選局は、視聴者が入力デバイスにて第三チューナ（１１０４）を操作することで行われる。
【００４８】
「制御信号受信部」（１１０５）は、記録装置（１１０１）の制御信号出力部にて出力された制御信号を受信するように構成されている。記録装置の制御信号出力部にて出力された制御信号は、記録装置（１１０１）のインターフェースを介して、視聴装置（１１０２）へ出力される。視聴装置（１１０２）では、出力された制御信号を制御信号受信部（１１０５）にて受信する。
【００４９】
「視聴制限実行部」（１１０６）は、制御信号受信部（１１０５）にて受信した制御信号に基づいて、第二視聴出力部（１１０３）において視聴制限を実行するように構成されている。本実施形態における視聴制限実行部（１１０６）にて行われる視聴制限は、実施形態２の視聴制限実行部で行われる視聴制限と同様に、視聴制限を実行する対象は、その視聴制限の内容に応じて異なる。
【００５０】
視聴制限として記録装置（１１０１）の記録中チャンネルＩＤにて識別されるチャンネルの選局自体を視聴装置（１１０２）にて不可とする場合には、視聴制限を実行する対象は第三チューナ（１１０４）となる。例えば、記録装置（１１０１）の制御信号出力部は、視聴者が視聴装置（１１０２）の第三チューナ（１１０４）にて記録中チャンネルＩＤにて識別されるチャンネルを選局しようとすると記録中チャンネルＩＤにて識別されるチャンネルの次のチャンネルなどを選局する制御信号を予め出力する。視聴装置（１１０２）では、この出力された制御信号を制御信号受信部（１１０５）にて受信する。すると、視聴装置（１１０２）の視聴制限実行部（１１０６）では、制御信号受信部（１１０５）にて受信した制御信号に基づいて、第三チューナ（１１０４）にて記録中チャンネルＩＤにて識別されるチャンネルを選局しようとすると、強制的に次のチャンネルを選局するように制御される。
【００５１】
また、視聴装置（１１０２）における視聴制限として、記録中チャンネルＩＤにて識別されるチャンネルを選局することは可能であるが、その出力をしない視聴制限をする場合には、視聴制限を実行する対象は第二視聴出力部（１１０３）となる。例えば、記録装置（１１０１）の制御信号出力部では、視聴者が視聴装置の第三チューナ（１１０４）にて、記録中チャンネルＩＤにて識別されるチャンネルを選局すると、記録中チャンネルＩＤにて識別されるチャンネルを出力する代わりに、視聴制限を行っている旨を視聴者に伝達するための音声や画像などを出力するための制御信号を予め出力する。視聴装置（１１０２）では、この出力された制御信号を制御信号受信部（１１０５）にて受信する。視聴装置（１１０２）の視聴制限実行部（１１０６）では、制御信号受信部（１１０５）にて受信した制御信号に基づいて、第三チューナ（１１０４）にて記録中チャンネルＩＤにて識別されるチャンネルが選局されると、第二視聴出力部（１１０３）にて第三チューナ（１１０４）で選局されたチャンネルの番組を出力する代わりに、視聴制限を行っている旨を視聴者に伝達するための音声や画像を出力する。
【００５２】
このように、制御信号にて視聴装置の第三チューナ（１１０４）又は第二視聴出力部（１１０３）を制御することで、記録装置のチューナにて記録中のチャンネルをたまたま視聴してしまうことも無い視聴制御システムを提供することができる。
【００５３】
（実施形態３の効果）以上のような構成をとる本実施形態の視聴制御システムでは、録画や録音などを行っている記録装置と、視聴を行っている視聴装置とが別々の装置である場合であっても、記録装置から出力される制御信号にて視聴装置を制御することで、記録装置にて記録中のチャンネルを視聴装置で視聴してしまうということが無い。このため、視聴者がザッピング視聴によりたまたま記録中のチャンネルの番組を視聴してしまい、記録後にその番組を見る興味が半減してしまうということを防ぐことができる。
【図面の簡単な説明】
【００５４】
【図１】実施形態１の概念を説明する図
【図２】実施形態１機能ブロック図
【図３】実施形態１ハードウェア構成を表す図
【図４】実施形態１のダイアログ出力手段を説明する図
【図５】実施形態１の処理の流れを説明する図
【図６】ダイアログ出力信号手段を用いた場合の処理の流れ
【図７】スキップ命令手段を用いた場合の処理の流れ
【図８】実施形態２の概要を説明する図（３）
【図９】実施形態２の機能ブロック図
【図１０】実施形態２のハードウェア構成を表す図
【図１１】実施形態３の機能ブロック図
【符号の説明】
【００５５】
０２００      記録装置
０２０１      記録部
０２０２      チューナ
０２０３      記録中チャンネルＩＤ取得部
０２０４      制御信号出力部
０２０５      ダイアログ出力信号手段
０２０６      スキップ命令出力手段
Ｓ０５０１    記録ステップ
Ｓ０５０２    ＩＤ取得ステップ
Ｓ０５０３    制御信号出力ステップ
Ｓ０５０４    視聴制限実行ステップ
【図１】
2007288363.tif 000003
【図２】
2007288363.tif 000004
【図３】
2007288363.tif 000005
【図４】
2007288363.tif 000006
【図５】
2007288363.tif 000007
【図６】
2007288363.tif 000008
【図７】
2007288363.tif 000009
【図８】
2007288363.tif 000010
【図９】
2007288363.tif 000011
【図１０】
2007288363.tif 000012
【図１１】
2007288363.tif 000013